(57)【特許請求の範囲】
【請求項１】
オゾン殺菌の対象となるオゾン吹出口と空気吹出口と空気吸込口を有する室を密閉する密閉手段と、室に設けたオゾン吹出口に連結され、室内オゾン濃度と処理時間により規定される値に対応した量のオゾンを密閉した室内に送入し室内をオゾン殺菌処理するオゾン送入手段と、室に設けた空気吹出口に循環ダクトを介して連結されるとともに室に設けた空気吸込口に循環ダクトを介して連結され、空気循環路を形成する空気調和装置と、空気吸込口に連結された循環ダクトの空気吸込口と空気調和装置との間に挿入自在に配置され、オゾン殺菌処理した後の密閉した室内に残留するオゾン濃度を設定値以下に中和分解する残留オゾン分解手段と、空気吹出口に連結された循環ダクトに配置された循環ダクトを開閉するためのダンパーと、空気吸込口に連結された循環ダクトの残留オゾン分解手段より空気吸込口側に配置された循環ダクトを開閉するためのダンパーと、各手段を予め設定したプログラムシーケンスにより制御するシステム制御手段とを有し、各ダンパーは、オゾン送入手段が作動する時、循環ダクトを閉じ、オゾン送入手段が作動を停止する時、循環ダクトを閉じ、残留オゾン分解手段は、オゾン送入手段の作動停止に連動して循環ダクト内に挿入され、空気調和装置は、各循環ダクトに配置されたダンパーが循環ダクトを開いた時、空気循環路を形成するように作動し、オゾンを含んだ室内空気を空気吸込口から循環ダクトを介して残留オゾン分解手段に通し、オゾンを酸素に分解した空気を循環ダクトを介して空気吹出口から室内に吹き出すことにより室内空気に含まれる残留オゾンを中和することを特徴とする室のオゾン殺菌システム。
【発明の詳細な説明】
【０００１】
【発明の属する技術分野】
本発明は、たとえば、医療施設の手術室のようなオゾン殺菌の対象となる室に所定量の量のオゾンを送入して室内をオゾン殺菌する室のオゾン殺菌システムに関する。
【０００２】
【従来の技術】
たとえば、医療施設の手術室においては、感染症対策等を考慮して、手術前だけではなく手術後にも薬剤を用いて殺菌消毒している。手術室の室内殺菌消毒に用いられる薬剤は、主として、刺激性や毒性の強いホルマリンや酸化エチレンガスであり、薬剤の燻蒸、または噴霧、あるいは清拭により、室の壁面や天井、あるいは室内に配置された手術台、手術関連器械、その他の手術室関連設備を殺菌処理するようにしている。
【０００３】
【発明が解決しようとする課題】
医療施設の手術室をホルマリンや酸化エチレンガスのような薬剤で殺菌消毒する場合、殺菌消毒に使用した刺激性や毒性の強い薬剤が室内の壁や天井または床に残留するので、壁や天井または床に残留する薬剤を除去するために、殺菌消毒した後手術室を薬剤の毒性中和処理や残留薬剤の清掃処理を必要とする。
【０００４】
しかし、これらの処理は、作業員による手作業で行わなければならず、薬剤処理に相当な時間と労力を必要とするという問題点がある。
【０００５】
また、手術室の殺菌消毒後の処理を簡単に行うするために、医療施設の手術室を紫外線照射手段を用いて殺菌消毒する方法も提案されているが、紫外線照射による殺菌手段では、殺菌力が紫外線の線源からの距離の２乗に反比例するので、線源からの距離が離れると、殺菌効果が減少してしまい、それほどの効果を得ることができず、また、紫外線が直接当たらない影になる部分では殺菌効果はほとんど零となるので実用的ではない。さらに、紫外線照射手段である紫外線ランプは寿命が短い。
【０００６】
本発明は上記した点を考慮してなされたもので、従来の方法と比較して取扱いが簡単で、かつ短時間で室内を殺菌消毒できる室のオゾン殺菌システムを提供することを目的とする。
【０００７】
【課題を解決するための手段】
本発明の室のオゾン殺菌システムは、オゾン発生手段で発生したオゾンを密閉手段により密閉された室内に所定時間供給し、室の壁や天井および床、室内に配置された手術台、手術関連器械、その他の手術室関連設備をオゾン殺菌し、オゾン殺菌した後に室内に残留するオゾンを残留オゾン分解手段で分解中和するものであり、各手段をシステム制御手段の予め設定したプログラムシーケンスにより連動することで、オゾン殺菌処理を自動的に短時間で行うことができる。
【０００８】
【発明の実施の形態】
以下本発明の実施の形態を図面を参照して説明する。
【０００９】
図１において符号１はオゾン殺菌の対象となる手術室を示す。この手術室１の内部には、図示しない手術台、手術関連器械、その他の手術室関連設備が配置されている。この手術室１の出入り口２には、気密性を備えた自動ドア３が配置されている。この自動ドア３は後述するシステム制御手段４により開閉制御され、手術室１の出入り口２を閉じることで手術室１を一時的に密閉室とする。
【００１０】
上記手術室１の一側側壁１ａにはオゾン吹出し口５が設けられ、他側側壁１ｂには空気吸込み口６が設けられ、天井面１ｃには空気吹出し口７が設けられている。また、手術室１の内部の適当位置にはオゾンセンサ８が設けられている。オゾンセンサ８は手術室１の内部空間のオゾン量を検出する。
【００１１】
一方、上記手術室１の外部には、オゾン発生装置９、空気調和装置１０および残留オゾン分解装置１１が設置されている。
【００１２】
上記オゾン発生装置９は、パイプ１２を介して手術室１の一側側壁１ａに設けたオゾン吹出し口５に連結されている。
【００１３】
上記空気調和装置１０は、循環ダクト１３を介して手術室１の他側側壁１ｂに設けた空気吸込み口６に連結されている。循環ダクト１３には、循環路を遮断するためのダンパー１４が設けられている。また、空気調和装置１０は、循環ダクト１５を介して手術室１の天井面１ｃに設けた空気吹出し口７に連結されている。循環ダクト１５にも循環路を遮断するためのダンパー１６が設けられている。循環ダクト１３に設けたダンパー１４および循環ダクト１５に設けたダンパー１６は、上記システム制御手段４により開閉制御される。
【００１４】
上記残留オゾン分解装置１１は、循環ダクト１３に挿入および循環ダクト１３から退没自在に配置されている。残留オゾン分解装置１１は、残留オゾン中和時に循環ダクト１３内に配置され、それ以外は１２ａで示す循環ダクト１３の外側に配置される。
【００１５】
上記オゾン発生装置９は、発生するオゾンをパイプ１２を通してオゾン吹出し口５から手術室１の内部に吹き出す。オゾン発生装置９は、システム制御手段４のオゾン濃度制御ユニット４ａにより制御されており、手術室１の内部に吹き出すオゾン量により手術室１の内部空間をオゾン殺菌に必要なオゾン濃度にする。このオゾン濃度は、殺菌処理の目安として算定されるＣＴ値により決められる。ここで、ＣＴ値とは、室内のオゾン濃度（ｐｐｍ）と対象物がオゾンガスに接触している時間の積である。
【００１６】
上記残留オゾン分解装置１１は、たとえば、二酸化チタン、二酸化マンガンを主体とした金属酸化物触媒を有する形式のものであり、オゾンを含んだ空気を循環ファンによりハニカム構造のオゾン分解触媒を通すことで空気中に含まれるオゾンを酸素に分解する。残留オゾン分解装置１１は、手術室１の内部に設けたオゾンセンサ８の検出信号を受けてシステム制御手段４から発する制御信号によりオゾン発生装置９の機能に連係して制御される。また、残留オゾン分解装置１１は、システム制御手段４から発する制御信号により循環ダクト１３への挿入および循環ダクト１３からの取り出しが制御される。
【００１７】
残留オゾンの中和に際しては、オゾン発生装置９から室内へのオゾンの送出が終了した後、循環ダクト１３に設けたダンパー１４を開き、空気調和装置１０によりオゾンを含んだ室内空気を空気吸込み口６から残留オゾン分解装置１１に通すことで室内空気に含まれるオゾンを分解する、オゾンを分解した空気は、循環ダクト１５を通り空気吹出し口７より室内に吹き出される。この過程により、室内空気に含まれる残留オゾンは中和される。
【００１８】
上記残留オゾン分解装置１１は、オゾン殺菌した後の手術室１の内部空間のオゾン濃度（ｐｐｍ）が０．１ｐｐｍ以下になるまで内部空間のオゾンを分解処理する。ここで、残留オゾンの濃度（ｐｐｍ）を０．１ｐｐｍ以下と規定したのは、生活環境基準ではオゾン濃度の許容濃度が０．０６ｐｐｍであり、作業環境基準でははオゾン濃度の許容濃度が０．１ｐｐｍであることを考慮したものである。
上記システム制御手段４は、図３および図４に示すように、気密自動ドアのロック解除機能と、空調装置の作動オンオフ機能と、空調ダンパーの開閉機能と、オゾン発生とオゾン濃度と処理時間の制御機能と、残留オゾンの分解機能とを有する。
【００１９】
すなわち、システム制御手段４は、オゾン濃度制御ユニット４ａにより手術室１のオゾン濃度が殺菌処理の目安として算定されるＣＴ値になるようにオゾン発生装置９の作動時間を制御し、オゾンセンサ８により検出される信号により、オゾン発生装置９が停止した後の残留オゾン分解装置１１を所定時間作動する。
【００２０】
つぎに作用を図４および図５を参照して説明する。
まず、手術室１をオゾン殺菌する前に、オゾン殺菌の対象となる機器や機材、備品等を残して、手術室１を空にし、手術室１の出入り口２を自動ドア３により閉じる。
【００２１】
つぎに、オゾン殺菌処理システムのスタートスイッチをオンする。スタートスイッチをオンすると、システム制御手段４から発する信号で、手術室１の出入り口２に設けた自動ドア３がロックされ、これに続いて、空気調和装置１０が停止し、循環ダクト１３に設けたダンパー１４および循環ダクト１５に設けたダンパー１６が閉じられる。これにより、手術室１のオゾン殺菌の準備が完了する。
【００２２】
ついで、オゾン発生装置９が、システム制御手段４から発する信号で作動し、オゾン発生装置９で発生するオゾンがパイプ１２を通ってオゾン吹出し口５から手術室１の内部に吹出される。オゾン発生装置９は制御ユニット４ａにより制御されており、手術室１の内部に吹き出されるオゾン量が手術室１の内部空間をオゾン殺菌に必要なオゾン濃度（殺菌処理の目安として算定されるＣＴ値）にするまで作動する。
【００２３】
手術室１の内部空間のオゾン濃度がオゾン殺菌に必要なオゾン濃度に達すると、オゾン発生装置９が停止する。オゾン発生装置９の停止に連動して、システム制御手段４から発する信号で残留オゾン分解装置１１が循環ダクト１３に挿入され、循環ダクト１３に設けたダンパー１４および循環ダクト１５に設けたダンパー１６が開き、空気調和装置１０が作動する。
【００２４】
空気調和装置１０が作動すると、オゾンを含んだ室内空気は空気吸込み口６から循環ダクト１３を通り残留オゾン分解装置１１に導かれる。残留オゾン分解装置１１は、オゾンを含んだ空気をハニカム構造のオゾン分解触媒を通すことでオゾンを酸素に分解する。オゾンを酸素に分解した空気は、循環ダクト１５を通り空気吹出し口７より室内に吹き出される。この過程を繰り返すことにより室内空気に含まれる残留オゾンは中和される。
【００２５】
残留オゾン分解装置１１は、手術室１の内部に設けたオゾンセンサ８が検出するオゾン量が規定値に達するまで作動する。
【００２６】
手術室１に残留するオゾン量が規定値に達すると、残留オゾン分解装置１１がシステム制御手段４から発する信号で停止し、手術室１の出入り口２に設けた自動ドア３のドアロックが解除され、これにより、一連のオゾン殺菌処理システムが終了し、オゾン殺菌処理システムはリセット状態になる。
【００２７】
なお、手術室１の内部空間をオゾン殺菌に必要なオゾン濃度（殺菌処理の目安として算定されるＣＴ値）は、室内のオゾン濃度（ｐｐｍ）と対象物がオゾンガスに接触している時間の積であるから、オゾン発生装置９で発生するオゾンの濃度を高くすることで、短時間でのオゾン殺菌が可能になる。
【００２８】
【発明の効果】
以上述べたように本発明によれば、オゾン殺菌の準備作業とオゾン殺菌処理に伴う実施作業を一連の作業として自動的に行うことができ、これら操作を簡単に行うことで、省力化を図ることができる。
【００２９】
また、オゾン殺菌することで、特別な薬剤が不要となるので、薬剤の管理や保管がいらないので、ランニングコストを下げることができる。
【図面の簡単な説明】
【図１】本発明による室のオゾン殺菌システムの概略図。
【図２】本発明による室のオゾン殺菌システムの残留オゾン分解装置の作動を示す図。
【図３】本発明による室のオゾン殺菌システムのシステム制御手段の機能を示す図。
【図４】図３のシステム制御手段の作用を示す図。
【図５】本発明による室のオゾン殺菌システムの作動を示すシーケンスチャート。
【符号の説明】
１  手術室
２  出入り口
３  自動ドア
４  システム制御手段
５  オゾン吹出し口
８  オゾンセンサ
９  オゾン発生装置
１０  空気調和装置
１１  残留オゾン分解装置
１４  ダンパー
１６  ダンパー
【図１】
0003824748.tif 000002
【図２】
0003824748.tif 000003
【図３】
0003824748.tif 000004
【図４】
0003824748.tif 000005
【図５】
0003824748.tif 000006